【手続補正書】
【提出日】平成24年10月17日(2012.10.17)
【手続補正１】
【補正対象書類名】特許請求の範囲
【補正対象項目名】全文
【補正方法】変更
【補正の内容】
【特許請求の範囲】
【請求項１】
印刷ヘッドと印刷位置で対峙するプラテンと、
前記プラテンを搭載するプラテンフレームと、
前記プラテンフレームを、前記プラテンが前記印刷位置に位置決めされる閉じ位置および当該閉じ位置から離れた開き位置に移動可能に支持するプラテン支持機構と、を有し、
前記プラテン支持機構は、前記プラテンフレームの移動方向に延びる第１側板及び第２側板、前記プラテンフレームの移動方向の開き方向の側における両側の第１前側部位および第２前側部位、並びに前記プラテンフレームの移動方向の閉じ方向の側における両側の第１後側部位および第２後側部位を有し、前記第１側板及び前記第２側板と前記第１前側部位、前記第２前側部位、前記第１後側部位及び前記第２後側部位とで前記プラテンフレームを位置決めするプラテン位置決め機構を備えることを特徴とするプリンター。
【請求項２】
前記第１側板は、前記第１前側部位および前記第１後側部位に対峙し、第１ガイド溝が形成され、
前記第２側板は、前記第２前側部位および前記第２後側部位に対峙し、第２ガイド溝が形成され、
前記第１前側部位および前記第１後側部位は、それぞれ第１前側位置決めピンおよび第１後側位置決めピンが取り付けられ、
前記第２前側部位および前記第２後側部位は、それぞれ第２前側位置決めピンおよび第２後側位置決めピンが取り付けられ、
前記プラテンフレームが前記閉じ位置に向かう途中の位置から、前記第１前側位置決めピンおよび前記第１後側位置決めピンが前記第１ガイド溝によって案内され、前記第２前側位置決めピンおよび前記第２後側位置決めピンが前記第２ガイド溝によって案内され、前記プラテンフレームの前記閉じ位置における前記第１前側部位および第１後側部位並びに前記第２前側部位および前記第２後側部位の位置決めがそれぞれ行われる請求項１に記載のプリンター。
【請求項３】
前記第１後側位置決めピンが前記第１ガイド溝における前記プラテンフレームの閉じ方向の溝端に当接し、第２後側位置決めピンが前記第２ガイド溝における前記プラテンフレームの閉じ方向の溝端に当接し、前記プラテンフレームの前記閉じ位置における閉じ方向の位置決めが行われる請求項２に記載のプリンター。
【請求項４】
前記第１ガイド溝および前記第２ガイド溝における前記プラテンフレームの開き方向の溝端はそれぞれ溝開口端となっており、
前記第１側板の前記溝開口端が形成されている部分は、前記第１前側位置決めピンおよび前記第１後側位置決めピンが干渉しない状態で、補強する第１補強部材を有し、
前記第２側板の前記溝開口端が形成されている部分は、前記第２前側位置決めピンおよび前記第２後側位置決めピンに干渉しない状態で、補強する第２補強部材を有する請求項３に記載のプリンター。
【請求項５】
前記プラテン支持機構は、前記プラテンフレームの開き方向における前後の部位において、前記第１前側部位および前記第１後側部位の側にそれぞれ取り付けた第１前側リンクおよび第１後側リンクと、前記第２前側部位および前記第２後側部位の側にそれぞれ取り付けた第２前側リンクおよび第２後側リンクと、を有し、
前記第１前側リンクおよび前記第２前側リンクは、それぞれ第１リンクおよび第２リンクが第１ピン節点を介して直列に連結された構成の複合リンクであり、
前記第１後側リンクおよび前記第２後側リンクは、それぞれ第３リンクおよび第４リンクが第２ピン節点を介して直列に連結された構成の複合リンクであり、
前記第１ピン節点と前記第２ピン節点の間に第５リンクが架け渡される請求項１ないし４のうちのいずれか１項に記載のプリンター。
【請求項６】
前記プラテン支持機構は、前記プラテンフレームの開き方向における前後の部位において、前記第１前側部位および前記第１後側部位の側にそれぞれ取り付けた第１前側リンクおよび第１後側リンクと、前記第２前側部位および前記第２後側部位の側にそれぞれ取り付けた第２前側リンクおよび第２後側リンクと、を有する請求項１に記載のプリンター。
【請求項７】
ロール紙を収納するロール紙収納部と、
前記ロール紙収納部を開閉する開閉蓋と、を有し、
前記開閉蓋の開閉に連動して前記プラテンフレームが移動する請求項１ないし６のいずれか１項に記載のプリンター。
【手続補正２】
【補正対象書類名】明細書
【補正対象項目名】０００８
【補正方法】変更
【補正の内容】
【０００８】
上記の課題を解決するために、本発明のプリンターは、
印刷ヘッドと印刷位置で対峙するプラテンと、
前記プラテンを搭載するプラテンフレームと、
前記プラテンフレームを、前記プラテンが前記印刷位置に位置決めされる閉じ位置および当該閉じ位置から離れた開き位置に移動可能に支持するプラテン支持機構と、を有し、
前記プラテン支持機構は、前記プラテンフレームの移動方向に延びる第１側板及び第２側板、前記プラテンフレームの移動方向の開き方向の側における両側の第１前側部位および第２前側部位、並びに前記プラテンフレームの移動方向の閉じ方向の側における両側の第１後側部位および第２後側部位を有し、前記第１側板及び前記第２側板と前記第１前側部位、前記第２前側部位、前記第１後側部位及び前記第２後側部位とで前記プラテンフレームを位置決めするプラテン位置決め機構を備えることを特徴とする。
【手続補正３】
【補正対象書類名】明細書
【補正対象項目名】００１０
【補正方法】変更
【補正の内容】
【００１０】
本発明において、プラテン支持機構によって閉じ位置と開き位置との間を移動するプラテンフレームの移動軌跡を制御するためには、前記第１側板は、前記第１前側部位および前記第１後側部位に対峙し、第１ガイド溝が形成され、前記第２側板は、前記第２前側部位および前記第２後側部位に対峙し、第２ガイド溝が形成され、前記第１前側部位および前記第１後側部位は、それぞれ第１前側位置決めピンおよび第１後側位置決めピンが取り付けられ、前記第２前側部位および前記第２後側部位は、それぞれ第２前側位置決めピンおよび第２後側位置決めピンが取り付けられ、前記プラテンフレームが前記閉じ位置に向かう途中の位置から、前記第１前側位置決めピンおよび前記第１後側位置決めピンが前記第１ガイド溝によって案内され、前記第２前側位置決めピンおよび前記第２後側位置決めピンが前記第２ガイド溝によって案内され、前記プラテンフレームの前記閉じ位置における前記第１前側部位および第１後側部位並びに前記第２前側部位および前記第２後側部位の位置決めがそれぞれ行われようになっていることが望ましい。
【手続補正４】
【補正対象書類名】明細書
【補正対象項目名】００１２
【補正方法】変更
【補正の内容】
【００１２】
また、この場合において、第１、第２ガイド溝を形成することによるプリンター本体フレームの剛性の低下を抑制するためには、前記第１ガイド溝および前記第２ガイド溝における前記プラテンフレームの開き方向の溝端はそれぞれ溝開口端となっており、前記第１側板の前記溝開口端が形成されている部分は、前記第１前側位置決めピンおよび前記第１後側位置決めピンが干渉しない状態で、補強する第１補強部材を有し、前記第２側板部分における前記溝開口端が形成されている部分は、前記第２前側位置決めピンおよび前記第２後側位置決めピンに干渉しない状態で、補強する第２補強部材を有することが望ましい。